(57)【要約】【課題】  平袋、チャック袋等種類またはサイズが異なる様々な包装袋の給袋に汎用的に使用でき、包装袋の姿勢（傾き）や位置の補正を行うことができると共に、包装袋を給袋コンベア上にラフに載置でき、袋供給者の負担を軽減することができる給袋装置、その給袋装置を備えた包装機および包装袋の姿勢補正方法を提供する。【解決手段】本発明の給袋装置１は、包装袋ａを順次搬送するための給袋コンベア２と、給袋コンベア２の搬送方向に沿って設けられると共に幅方向に離間して設けられた対となる姿勢補正部３ａ，３ｂとを有し、対となる姿勢補正部３ａ，３ｂは、給袋コンベア２による包装袋ａの搬送中に幅方向の離間距離を変動させることで包装袋ａに当接して包装袋ａの姿勢を補正するように構成されている。【選択図】図９
2020019486.tif 000002
【特許請求の範囲】
【請求項１】
包装袋を順次搬送するための給袋コンベアと、該給袋コンベアの搬送方向に沿って設けられると共に幅方向に離間して設けられた対となる姿勢補正部とを有し、該対となる姿勢補正部は、前記給袋コンベアによる前記包装袋の搬送中に幅方向の離間距離を変動させることで前記包装袋に当接して包装袋の姿勢を補正するように構成されていることを特徴とする給袋装置。
【請求項２】
前記姿勢補正部は、複数回、幅方向の離間距離を変動させることで前記包装袋に複数回、当接して前記包装袋の姿勢を補正するように構成されている請求項１に記載の給袋装置。
【請求項３】
前記給袋装置は、前記給袋コンベアの幅方向に沿って設けられ回動可能な離間距離調整ネジと、該離間距離ネジに取り付けられ前記離間距離調整ネジの回動に伴って幅方向に移動可能なネジ受け部材とを有し、前記姿勢補正部は、該ネジ受け部材と共に幅方向に移動可能に構成されている請求項１または２に記載の給袋装置。
【請求項４】
前記給袋装置は、前記給袋コンベア上の一枚の前記包装袋を保持して袋把持部に供給するための袋供給部を有している請求項１ないし３のいずれかに記載の給袋装置。
【請求項５】
前記袋供給部は、前記給袋コンベア上の一枚の前記包装袋を捕捉する第１袋捕捉部と、該第１袋捕捉部により保持された前記包装袋を受け取った後、前記袋把持部へ受け渡すための第２袋捕捉部とを有している請求項４に記載の給袋装置。
【請求項６】
前記第１袋捕捉部は、垂直姿勢に保持された包装袋の高さを補正するための高さ補正機構を有している請求項５に記載の給袋装置。
【請求項７】
前記請求項１ないし６のいずれかに記載の給袋装置を備えていることを特徴とする包装機。
【請求項８】
給袋コンベア上に載置された包装袋に対して、前記給袋コンベアの幅方向から前記包装袋を複数回押圧することにより、前記包装袋の姿勢を補正することを特徴とする包装袋の姿勢補正方法。
【請求項９】
給袋コンベアによる包装袋の搬送中に、前記給袋コンベア上に載置された前記包装袋に対して、前記給袋コンベアの幅方向から前記包装袋を押圧することにより、前記包装袋の姿勢を補正することを特徴とする包装袋の姿勢補正方法。
【発明の詳細な説明】
【技術分野】
【０００１】
本発明は、平袋、チャック袋等種類またはサイズが異なる様々な包装袋の給袋に汎用的に使用できると共に、包装袋の姿勢（傾き）や位置の補正を行うことができる給袋装置、その給袋装置を備えた包装機および包装袋の姿勢補正方法に関するものである。
【背景技術】
【０００２】
従来より、包装機における包装袋の供給方式として、給袋コンベアにより順次包装袋を供給するコンベア方式（特許第４０１１５６７号公報等）がある。
【０００３】
ところで、給袋コンベア上に包装袋が斜めに供給された場合や載置位置にばらつきがあると、包装袋の姿勢（傾き）や位置が補正されず、包装袋がそのまま次位の包装工程へ供給され、印字不良や充填不良等の原因となる。そのため、包装袋を揃えて給袋コンベア上に載置しなければならず、作業上煩雑で袋供給者の負担となっていた。
【先行技術文献】
【特許文献】
【０００４】
【特許文献１】特許第４０１１５６７号公報
【発明の概要】
【発明が解決しようとする課題】
【０００５】
そこで、本発明の課題は、平袋、チャック袋等種類またはサイズが異なる様々な包装袋の給袋に汎用的に使用でき、包装袋の姿勢（傾き）や位置の補正を行うことができると共に、包装袋を給袋コンベア上にラフに載置でき、袋供給者の負担を軽減することができる給袋装置、その給袋装置を備えた包装機および包装袋の姿勢補正方法を提供することにある。
【課題を解決するための手段】
【０００６】
上記課題を達成するものは、包装袋を順次搬送するための給袋コンベアと、該給コンベアの搬送方向に沿って設けられると共に幅方向に離間して設けられた対となる姿勢補正部とを有し、該対となる姿勢補正部は、前記給袋コンベアによる前記包装袋の搬送中に幅方向の離間距離を変動させることで前記包装袋に当接して包装袋の姿勢を補正するように構成されていることを特徴とする給袋装置である（請求項１）。
【０００７】
前記姿勢補正部は、複数回、幅方向の離間距離を変動させることで前記包装袋に複数回、当接して前記包装袋の姿勢を補正するように構成されていることが好ましい（請求項２）。前記給袋装置は、前記給袋コンベアの幅方向に沿って設けられ回動可能な離間距離調整ネジと、該離間距離ネジに取り付けられ前記離間距離調整ネジの回動に伴って幅方向に移動可能なネジ受け部材とを有し、前記姿勢補正部は、該ネジ受け部材と共に幅方向に移動可能に構成されていることが好ましい（請求項３）。前記給袋装置は、前記給袋コンベア上の一枚の前記包装袋を保持して包装機内の袋把持部に供給するための袋供給部を有していることが好ましい（請求項４）。前記袋供給部は、前記給袋コンベア上の一枚の前記包装袋を捕捉する第１袋捕捉部と、該第１袋捕捉部により捕捉された前記包装袋を受け取った後、前記包装機の袋把持部へ受け渡すための第２袋捕捉部とを有していることが好ましい（請求項５）。前記第１袋捕捉部は、垂直姿勢に保持された包装袋の高さを補正するための高さ補正機構を有していることが好ましい（請求項６）。
【０００８】
また、上記課題を解決するものは、上記給袋装置を備えていることを特徴とする包装機である（請求項７）。
【０００９】
さらに、上記課題を解決するものは、給袋コンベア上に載置された包装袋に対して、前記給袋コンベアの幅方向から前記包装袋を複数回押圧することにより、前記包装袋の姿勢を補正することを特徴とする包装袋の姿勢補正方法である（請求項８）。
【００１０】
さらに、上記課題を解決するものは、給袋コンベアによる包装袋の搬送中に、前記給袋コンベア上に載置された前記包装袋に対して、前記給袋コンベアの幅方向から前記包装袋を押圧することにより、前記包装袋の姿勢を補正することを特徴とする包装袋の姿勢補正方法である（請求項９）。
【発明の効果】
【００１１】
請求項１に記載の給袋装置によれば、平袋、チャック袋等種類またはサイズが異なる様々な包装袋の給袋に汎用的に使用でき、包装袋の姿勢（傾き）や位置の補正を行うことができると共に、包装袋を給袋コンベア上にラフに載置でき、袋供給者の負担を軽減することができる。
請求項２に記載の給袋装置によれば、より確実に上記請求項１の効果を奏する給袋装置となる。
請求項３に記載の給袋装置によれば、姿勢補正部の幅方向の離間距離を簡素な構造で容易に変動させることができる。
請求項４に記載の給袋装置によれば、給袋コンベア上の包装袋を一枚ずつ包装機の袋把持部に供給することができる。
請求項５に記載の給袋装置によれば、より確実に上記請求項４の効果を奏する給袋装置となる。
請求項６に記載の給袋装置によれば、垂直姿勢に保持された包装袋の上端辺部の高さ（爪上高さ）を適宜変更して、袋把持部（グリップ対）に供給することができる。
請求項７に記載の包装機によれば、平袋、チャック袋等種類またはサイズが異なる様々な包装袋の給袋に汎用的に使用でき、包装袋の姿勢（傾き）や位置の補正を行うことができると共に、包装袋を給袋コンベア上にラフに載置でき、袋供給者の負担を軽減することができる。
請求項８に記載の包装袋の姿勢補正方法によれば、平袋、チャック袋等種類またはサイズが異なる様々な包装袋の給袋に汎用的に使用でき、包装袋の姿勢（傾き）や位置の補正を行うことができると共に、包装袋を給袋コンベア上にラフに載置でき、袋供給者の負担を軽減することができる。
請求項９に記載の包装袋の姿勢補正方法によれば、平袋、チャック袋等種類またはサイズが異なる様々な包装袋の給袋に汎用的に使用でき、包装袋の姿勢（傾き）や位置の補正を行うことができると共に、包装袋を給袋コンベア上にラフに載置でき、袋供給者の負担を軽減することができる。
【図面の簡単な説明】
【００１２】
【図１】本発明の給袋装置を備えた包装機の一実施例の平面概略図である。
【図２】図１に示した包装機の正面概略図である。
【図３】図１に示した包装機の包装工程を説明するための説明図である。
【図４】図１に示した給袋装置の給袋コンベアの平面拡大概略図である。
【図５】図４に示した給袋装置の給袋コンベアの右側面概略図である。
【図６】図４のＡ−Ａ線拡大端面図である。
【図７】図４のＢ−Ｂ線拡大図である。
【図８】図４のＣ−Ｃ線拡大断面図である。
【図９】図１に示した給袋装置の特徴的作用を説明するための説明図である。
【図１０】本発明の給袋装置における袋供給部の第１捕捉部の構成を説明するための説明図である。
【図１１】図１０に示した給袋装置の袋供給部の全体構成および作用を説明するための左側面概略図である。
【図１２】図１１の右側面概略図である。
【発明を実施するための形態】
【００１３】
本発明では、包装袋ａを順次搬送するための給袋コンベア２と、給袋コンベア２の搬送方向に沿って設けられると共に幅方向に離間して設けられた対となる姿勢補正部３ａ，３ｂとを有し、対となる姿勢補正部３ａ，３ｂは、給袋コンベア２による包装袋ａの搬送中に幅方向の離間距離を変動させることで、包装袋ａに当接して包装袋ａの姿勢を補正するように構成されている。これにより、平袋、チャック袋等種類またはサイズが異なる様々な包装袋ａの給袋に汎用的に使用でき、包装袋ａの姿勢（傾き）や位置の補正を行うことができると共に、包装袋ａを給袋コンベア２上にラフに載置でき、袋供給者の負担を軽減することができる給袋装置１、その給袋装置１を備えた包装機Ｐおよび包装袋ａの姿勢補正方法を実現した。
【実施例１】
【００１４】
本発明の給袋装置を備えた包装機を図１ないし図１２に示した一実施例を用いて説明する。
この実施例の包装機Ｐは、包装袋ａの袋口を開口して被包装物を充填し施封する装置であり、図１または図３に示すように、９つのステーションにおいて、包装袋ａを包装機に供給する給袋工程（９工程）、包装袋ａの上部に設けられたチャックを開くチャック開口工程（１工程）、賞味期限等を印字する印字工程（２工程）、印字検査を行うと共に包装袋ａの袋口を開口する印字検査・袋開き工程（３工程）、被包装物を包装袋ａ内に充填し、袋底部を開口させると共に、被包装物に振動を与える充填・袋底開口・底振動工程（４工程）、被包装物を包装袋ａ内に押し込むと共に被包装物に振動を与える押し込み・底振動工程（５工程）、噛み込みを検知すると共に空袋を機外排出する噛み込み検知・空袋排出工程（６工程）、袋口付近を水平方向にトップシールをすると共に包装袋ａ内のエア抜きを行うトップシール・エアー抜き工程（７工程）、トップシールが冷却（目付け）されると共に被包装物が包装された包装袋ａを機外に排出する冷却シール・製品排出工程（８工程）の９工程を繰り返し行い、被包装物を充填した包装袋ａを量産する装置である。なお、この実施例はロータリー方式の包装機Ｐであるが、本発明を公知の直線移動方式の包装機等に適用することも可能である。
【００１５】
この包装機Ｐでは、図１または図２に示すように、垂直方向に延在する間欠回転軸１２を回転自由に支持するスタンド１１を機台５０上に設け、その間欠回転軸１２の上部に取り付けられた移動体（円盤状回転体）１０には、包装袋ａを掴着又は釈放するための１８対の袋把持部（グリップ対）ｇが間欠回転軸１２を中心として等角度間隔で放射方向に突出するように設けられている。そして、包装機Ｐは、給袋工程（９工程）において、給袋装置１によって包装袋ａの袋取りが行われ、給袋ステーション（第９ステーション）へ順次間欠移動してくる袋把持部（グリップ対）ｇに対して、包装袋ａが垂直姿勢で吊り下げ状に支持されるよう構成されている。
【００１６】
そして、この実施例の包装機Ｐの給袋装置１は、図１、図２または図４に示すように、包装袋ａを順次搬送するための給袋コンベア２と、給袋コンベア２の搬送方向に沿って設けられると共に幅方向に離間して設けられた対となる姿勢補正部３ａ，３ｂと、給袋コンベア２によって下流側に搬送された包装袋ａを一枚ずつ保持して包装機Ｐの袋把持部（グリップ対）ｇに供給するための袋供給部４を有し、対となる姿勢補正部３ａ，３ｂは、給袋コンベア２による包装袋ａの搬送中に幅方向の離間距離を変動させることで包装袋ａに当接して包装袋ａの姿勢を補正するように構成されている（図９参照）。
【００１７】
給袋装置１は、包装機Ｐにおいて、次位の包装工程（チャック開口工程：１工程））へ包装袋ａを供給するために袋把持部（グリップ対）ｇに、包装袋ａを順次供給するためのものであり、（１）給袋コンベア２により包装袋ａを順次下流側へ搬送する工程、（２）給袋コンベア２の下流側に搬送された包装袋ａを一枚ずつ第１袋捕捉部５により捕捉する工程、（３）第１袋捕捉部５により捕捉された包装袋ａを第２袋捕捉部６へ受け渡す工程、（４）第２袋捕捉部６により捕捉された包装袋ａを袋把持部（グリップ対）ｇへ受け渡す工程の４工程からなる給袋工程を行う。以下、給袋装置１の各構成について順次詳述する。
【００１８】
給袋コンベア２は、包装袋ａを順次搬送するためのものであり、図４に示すように、給袋コンベア２の搬送方向（矢印ｈ）に沿って設けられると共に幅方向に離間して設けられた対となる姿勢補正部３ａ，３ｂを有し、対となる姿勢補正部３ａ，３ｂが、給袋コンベア２による包装袋ａの搬送中に幅方向の離間距離を変動させることで包装袋ａに当接して包装袋ａの姿勢を補正するように構成されている。これにより、平袋、チャック袋等種類またはサイズが異なる様々な包装袋の給袋に汎用的に使用でき、包装袋の姿勢（傾き）や位置の補正を行うことができるように構成されている。
【００１９】
この実施例の給袋コンベア２は、図４に示すように、並設された２機の給袋コンベア２を有し、給袋装置１は、包装袋ａを２枚ずつ、次位の包装工程（チャック開口工程：１工程））へ供給できるように構成されている。
【００２０】
姿勢補正部３ａ，３ｂは、並設された２機の給袋コンベア２に、図９に示すように一対ずつ向き合って配された縦断面Ｌ型のストックガイドにて構成されており、給袋コンベア２にて搬送される包装袋ａは、姿勢補正部３ａ，３ｂ（ストックガイド）に幅方向の両側から規制されて上流側（図４または図５中右側）から下流側（図４または図５中左側）に向かって搬送される。
【００２１】
姿勢補正部３ａ，３ｂは、例えば図９（Ａ）のように、包装袋ａが傾いて配置された場合でも、図９（Ｂ）のように、設定された包装袋ａの幅方向の長さまで姿勢補正部３ａ，３ｂが両側から内側に向かって移動することで、図９（Ｃ）のように、包装袋ａの姿勢（傾き）を補正するように作用する。また、袋幅に応じて姿勢補正部３ａ，３ｂの間の離間距離が調整されることにより、様々な寸法の包装袋の給袋が可能になる。
【００２２】
なお、この実施例は、対となる姿勢補正部３ａ，３ｂの双方が両側から内側に向かって移動して姿勢補正部３ａ，３ｂの間の離間距離が変動するものであるが、これに限定されるものではなく、姿勢補正部３ａ，３ｂのうち一方が移動可能に設けられて姿勢補正部３ａ，３ｂの間の離間距離が変動するように構成されたものも本発明の範疇に包含される。
【００２３】
また、この実施例における姿勢補正部３ａ，３ｂの間の離間距離を変動させる機構（姿勢補正部の離間距離変更機構）は、上流側端部に設けられた上流側離間距離変更機構９Ａと下流側端部に設けられた下流側離間距離変更機構９Ｂ，９Ｃであり、それらはいずれも、給袋コンベア２の幅方向に沿って設けられ回動可能な離間距離調整ネジ７と、離間距離調整ネジ７に取り付けられ離間距離調整ネジ７の回動に伴って幅方向に移動可能なネジ受け部材８と、ネジ受け部材８に取り付けられ、ネジ受け部材８の移動に伴って幅方向に移動可能に構成された姿勢補正部３ａ，３ｂ（ストックガイド）を有している。
【００２４】
具体的には、上流側離間距離変更機構９Ａは、図６に示すように、給袋コンベア２の幅方向に沿って設けられ回動可能な第１離間距離調整ネジ７Ａと、第１離間距離調整ネジ７Ａに取り付けられ第１離間距離調整ネジ７Ａの回動に伴って幅方向に移動可能な第１ネジ受け部材８Ａ１，８Ａ２，８Ａ３，８Ａ４と、第１ネジ受け部材８Ａ１，８Ａ２，８Ａ３，８Ａ４にそれぞれ取り付けられ、第１ネジ受け部材８Ａ１，８Ａ２，８Ａ３，８Ａ４の移動に伴って幅方向の内外に移動可能に構成された姿勢補正部３ａ，３ｂ（ストックガイド）を有している。
【００２５】
より具体的には、第１ネジ受け部材８Ａ１，８Ａ３の上部にそれぞれ姿勢補正部３ａ（ストックガイド）が固定され、第１ネジ受け部材８Ａ２，８Ａ４の上部にそれぞれ姿勢補正部３ｂ（ストックガイド）が固定されている。
【００２６】
また、第１ネジ受け部材８Ａ１，８Ａ３と第１離間距離調整ネジ７Ａとの螺合関係を正ネジの関係とすると、第１ネジ受け部材８Ａ２，８Ａ４と第１離間距離調整ネジ７Ａとの螺合関係は逆ネジの関係となるように構成されている。
【００２７】
そして、第１離間距離変更用モータ２０を正逆回転させると、第１離間距離変更用モータ２０の回転力は、距離変更用駆動プーリ２１を介して第１離間距離調整ネジ７Ａに伝達されて、第１ネジ受け部材８Ａ１，８Ａ３が幅方向同一方向に移動することで２つの姿勢補正部３ａ（ストックガイド）も幅方向同一方向に移動し、他方、第１ネジ受け部材８Ａ２，８Ａ４が幅方向逆方向に移動することで２つの姿勢補正部３ｂ（ストックガイド）も幅方向逆方向に移動して、姿勢補正部３ａ，３ｂ（ストックガイド）が内外に移動するように構成されている。
【００２８】
下流側離間距離変更機構９Ｂは、図７に示すように、給袋コンベア２の幅方向に沿って設けられ回動可能な第２離間距離調整ネジ（ボールネジ）７Ｂと、第２離間距離調整ネジ７Ｂに取り付けられ第２離間距離調整ネジ７Ｂの回動に伴って幅方向に移動可能な第２ネジ受け部材８Ｂ１，８Ｂ２と、第２ネジ受け部材８Ｂ１，８Ｂ２にそれぞれ取り付けられ、第２ネジ受け部材８Ｂ１，８Ｂ２の移動に伴って幅方向の内外に移動可能に構成された姿勢補正部３ｂ（ストックガイド）とを有している。
【００２９】
より具体的には、第２ネジ受け部材８Ｂ１，８Ｂ２の上部にそれぞれ姿勢補正部３ｂ（ストックガイド）が固定されている。
【００３０】
そして、第２離間距離変更用モータ２２を正逆回転させると、第２離間距離変更用モータ２２の回転力は、第２離間距離調整ネジ７Ｂに伝達されて、第２ネジ受け部材８Ｂ１，８Ｂ２が幅方向同一方向に移動することで２つの姿勢補正部３ｂ（ストックガイド）も幅方向同一方向に移動し、それぞれ内外に移動できるように構成されている。
【００３１】
さらに、下流側離間距離変更機構９Ｃは、図８に示すように、給袋コンベア２の幅方向に沿って設けられ回動可能な第３離間距離調整ネジ（ボールネジ）７Ｃと、第３離間距離調整ネジ７Ｃに取り付けられ第３離間距離調整ネジ７Ｃの回動に伴って幅方向に移動可能な第３ネジ受け部材８Ｃ１，８Ｃ２と、第２ネジ受け部材８Ｃ１，８Ｃ２にそれぞれ取り付けられ、第２ネジ受け部材８Ｃ１，８Ｃ２の移動に伴って幅方向の内外に移動可能に構成された姿勢補正部３ａ（ストックガイド）とを有している。
【００３２】
より具体的には、第３ネジ受け部材８Ｃ１，８Ｃ２の上部にそれぞれ姿勢補正部３ａ（ストックガイド）が固定されている。
【００３３】
そして、第３離間距離変更用モータ２３を正逆回転させると、第３離間距離変更用モータ２３の回転力は、第３離間距離調整ネジ７Ｃに伝達されて、第３ネジ受け部材８Ｃ１，８Ｃ２が幅方向同一方向に移動することで２つの姿勢補正部３ａ（ストックガイド）も幅方向同一方向に移動し、それぞれ内外に移動できるように構成されている。
【００３４】
上記のように、この実施例の給袋装置１は、上流側端部に設けられた上流側離間距離変更機構９Ａと下流側端部に設けられた下流側離間距離変更機構９Ｂ，９Ｃとを有しているため、第１離間距離変更用モータ２０、第２離間距離変更用モータ２２および第３離間距離変更用モータ２３の正逆回転を制御部に同期的に制御させることで、平袋、チャック袋等種類またはサイズが異なる様々な包装袋の幅に対応して、姿勢補正部３ａ， ３ｂ（ストックガイド）の間の離間距離を速やかに変動させることができるように構成されている。
【００３５】
また、この実施例の給袋装置１は、下流側端部に設けられた下流側離間距離変更機構９Ｂ，９Ｃを有しているため、第２離間距離変更用モータ２２および第３離間距離変更用モータ２３の正逆回転を制御部が同期的に制御することにより、図９に示すように、順次下流側に搬送されてくる搬送中の包装袋ａに対して、姿勢補正部３ａ，３ｂが複数回、幅方向の離間距離を変動させ、それによって複数回当接して包装袋ａの姿勢（傾き）を補正することができるように構成されている。このため、包装袋ａを給袋コンベア２上にラフに載置でき、袋供給者の負担を軽減することができる。
【００３６】
なお、上記実施例では、給袋コンベア２上に載置された搬送中の包装袋ａに対して、給袋コンベア２の幅方向から包装袋ａを複数回押圧することにより、包装袋ａの姿勢を補正する包装袋ａの姿勢補正方法によっているが、本発明の包装袋ａの姿勢補正方法は、これに限定されるものではなく、給袋コンベア２上に載置された停止した包装袋ａに対して、給袋コンベア２の幅方向から包装袋ａを複数回押圧することにより、包装袋ａの姿勢を補正する包装袋ａの姿勢補正方法や、給袋コンベアによる包装袋の搬送中に単数の押圧を行って包装袋ａの姿勢補正を行う方法、すなわち、給袋コンベア２による包装袋ａの搬送中に、給袋コンベア２上に載置された包装袋ａに対して、給袋コンベア２の幅方向から包装袋ａを押圧することにより、包装袋ａの姿勢を補正する包装袋の姿勢補正方法も本発明の範疇に包含される。
【００３７】
給袋コンベア２は、図４または図５に示すように、上流側端部付近または下流側端部付近にそれぞれ設けられ、コンベアベルト２４を掛け渡した上流側プーリ２５と下流側プーリ２６を有し、下流側下部に袋搬送モータ２７を有している。
【００３８】
コンベアベルト２４は、袋搬送モータ２７の駆動により回転し、姿勢補正部３ａ， ３ｂ（ストックガイド）の平面部上に載置された包装袋ａを上流側から下流側（図４中ｈ方向）に向かって順次搬送するように構成されている。
【００３９】
さらに、給袋コンベア２は、図５に示すように、下流側に、給袋コンベア増速部１３を有しており、この給袋コンベア増速部１３により、コンベアベルト２４により下流側に搬送される包装袋ａを増速させて給袋コンベア２の先端（下流側端部）まで搬送するように構成されている。
【００４０】
具体的には、給袋コンベア増速部１３は、増速モータ１４と、増速モータ１４の駆動により回転する増速ベルト１５とを有し、コンベアベルト２４により下流側に搬送される包装袋ａは、袋搬送モータ２７の駆動により回転する定速ベルト１６と増速ベルト１５との間を通過して、定速ベルト１６と増速ベルト１５の回転に押し出されて、給袋コンベア２の先端（下流側端部：給袋位置）１９まで搬送されるように構成されている。
【００４１】
袋供給部４は、給袋コンベア２によって順次下流側端部に搬送される包装袋ａを一枚ずつ捕捉して包装機Ｐの袋把持部（グリップ対）ｇに順次供給するためのものであり、給袋コンベア２上の一枚の包装袋ａを捕捉するための第１袋捕捉部５と、第１袋捕捉部５により保持された包装袋ａを受け取った後、袋把持部（グリップ対）ｇへ受け渡すための第２袋捕捉部６とを有している。
【００４２】
第１袋捕捉部５は、図１０ないし図１２に示すように、給袋コンベア２によって順次下流側端部に搬送される包装袋ａを一枚ずつ捕捉して回動させ垂直姿勢とする回動アーム（４本の袋捕捉パイプ）１７を有し、回動アーム１７は下端部にそれぞれ包装袋ａを上面側から吸着する吸盤１８を有している。
【００４３】
また、第１袋捕捉部５は、回動アーム１７は下端部に設けられた吸盤１８にて捕捉された包装袋ａの高さを補正するための高さ補正機構２８を有している。
【００４４】
高さ補正機構２８は、吸盤１８にて捕捉され垂直姿勢で吊り下げ状に支持される包装袋ａの中に、袋把持部（グリップ対）ｇに把持される際の高さが低いものから高いものまで存在することから、袋把持部（グリップ対）ｇに把持される前に、回動アーム１７（袋捕捉パイプ）の下端部に設けられた吸盤１８の高さを調整可能として、個々の包装袋ａの爪上高さ（グリップ対ｇより上の部分の長さ：包装袋ａの種類による爪上高さも含む。）を調整するためのものである。
【００４５】
具体的には、この実施例の高さ補正機構２８は、第１袋捕捉部５の回動アーム（袋捕捉パイプ）１７と、回動アーム１７の基端部（上端部）側に設けられた回動軸２９と、回動軸２９を正逆回転可能とする回転駆動部（サーボモータ）３０と、包装袋ａを保持した回動アーム１７の上昇に伴ってパルスを発生させるロータリーエンコーダ（図示しない）と、ロータリーエンコーダが発生するパルスをカウントするパルスカウンタ（図示しない）と、回動アーム１７による包装袋ａの捕捉位置と第２袋捕捉部６の一対の掴み部３２による受取位置間において包装袋ａの上端辺部の通過を検出するセンサ３１（図１１または図１２に示すように斜め下方に向かって延在するセンサ取り付け部６に固定されている。）と、それらを制御する制御部（図示しない）を有している。
【００４６】
そして、制御部は、第１袋捕捉部５の回動アーム（袋捕捉パイプ）１７が正常な位置で包装袋ａを捕捉して上昇してからセンサ３１が包装袋ａの上端辺部の通過を検出する間にカウントされる基準パルス数と、第１袋捕捉部５の回動アーム（袋捕捉パイプ）１７が包装袋ａを捕捉して上昇してからセンサ３１が包装袋ａの上端辺部の通過を検出する間に実際にカウントされるパルス数とを比較し、その比較差量（基準パルス数と実際にカウントされるパルス数の差）に応じて回転駆動部（サーボモータ）３０による第１袋捕捉部５の回動アーム１７の回動量（回動による回動アーム１７の高さ）を制御（高さ補正制御）するよう構成されている。
【００４７】
この高さ補正機構２８による上記高さ補正制御は、給袋コンベアの給袋位置１９に搬送されてくる包装袋ａ毎に逐次行われる。また、この実施例は給袋位置１９が並設されているため、それに対応して高さ補正機構２８も２つ並設されている。
【００４８】
具体的には、制御部は、センサ３１が第１袋捕捉部５の回動アーム（袋捕捉パイプ）１７の通過を検出すると、実際にカウントされたパルス数と基準パルス数とを比較して、第２袋捕捉部６の一対の掴み部３２による受取位置の高さと同一レベルとするための回動アーム１７の補正回動量を計算する。
【００４９】
計算した結果、補正回動量がゼロの場合は、回転駆動部（サーボモータ）３０による補正回動量もゼロで、回動アーム１７の高さ補正はなく、そのままの高さで第２袋捕捉部６の一対の掴み部３２へ受け渡される。他方、補正が必要な場合は、その分、回転駆動部（サーボモータ）３０による補正回動量が付加されて回動アーム１７の高さが補正される。
【００５０】
第２袋捕捉部６は、図１１に示すように、第１袋捕捉部５の回動アーム（袋捕捉パイプ）１７により垂直姿勢に支持された一枚の包装袋ａを受け取るために挟持可能に構成された一対の掴み部３２と、掴み部３２を昇降可能とする高さ切り替えモータ３３と、一対の掴み部３２を開閉するための袋押えシリンダ３４と、一対の掴み部３２によって捕捉された包装袋ａを袋把持部（グリップ対）ｇまで移送するための袋移送レバー３５（カム駆動により駆動）とを有している。
【００５１】
そして、高さ切り替えモータ３３は、包装袋ａの種類（平袋またはチャック袋）による爪（グリップ対ｇ）上の高さを設定範囲内でパネル入力することにより、昇降部３７の下部に取り付けられた掴み部３２を昇降させて、包装袋ａの爪上高さを設定可能に作用する。
【００５２】
このように、この実施例の給袋装置１では、第２袋捕捉部６の高さ切り替えモータ３３にて包装袋ａに応じた基本的で一律的な高さ設定が行われ、前述した第１袋捕捉部５の高さ補正機構２８にて、順次供給される個々の包装袋ａに対して個別的な高さ補正がなされるように構成されている。すなわち、回転駆動部（サーボモータ）３０は、包装袋ａの爪上高さ設定による基本的な回動量に加えて、順次供給される個々の包装袋ａに対する個別的な補正回動量の双方で回動アーム（袋捕捉パイプ）１７を回動させるよう回動軸２９を制御するように構成されている。
【符号の説明】
【００５３】
Ｐ              包装機
１              給袋装置
ａ              包装袋
ｇ              袋把持部（グリップ対）
２              給袋コンベア
３ａ，３ｂ      姿勢補正部（ストックガイド）
４              袋供給部
５              第１袋捕捉部
６              第２袋捕捉部
７（７Ａ，７Ｂ，７Ｃ）
離間距離調整ネジ
８（８Ａ１，８Ａ２，８Ａ３，８Ａ４，８Ｂ１，８Ｂ２，８Ｃ１，８Ｃ２）
ネジ受け部材
９Ａ            上流側離間距離変更機構
９Ｂ，９Ｃ      下流側離間距離変更機構
１０            移動体（円盤状回転体）
１１            スタンド
１２            間欠回転軸
１３            給袋コンベア増速部
１４            増速モータ
１５            増速ベルト
１６            定速ベルト
１７            回動アーム
１８            吸盤
１９            給袋位置
２０            第１離間距離変更用モータ
２１            距離変更用駆動プーリ
２２            第２離間距離変更用モータ
２３            第３離間距離変更用モータ２３
２４            コンベアベルト
２５            上流側プーリ
２６            下流側プーリ
２７            袋搬送モータ
２８            高さ補正機構
２９            回動軸
３０            回転駆動部（サーボモータ）
３１            センサ
３２            掴み部
３３            高さ切り替えモータ
３４            袋押えシリンダ
３５            袋移送レバー
３６            センサ取付部
３７            昇降部
５０            機台
【図１】
2020019486.tif 000003
【図２】
2020019486.tif 000004
【図３】
2020019486.tif 000005
【図４】
2020019486.tif 000006
【図５】
2020019486.tif 000007
【図６】
2020019486.tif 000008
【図７】
2020019486.tif 000009
【図８】
2020019486.tif 000010
【図９】
2020019486.tif 000011
【図１０】
2020019486.tif 000012
【図１１】
2020019486.tif 000013
【図１２】
2020019486.tif 000014